(57)【要約】【課題】的確な着信通知が可能な受信装置およびプログラムを提供する。【解決手段】着呼信号から抽出された発信者番号およびユーザ状態記憶部に記憶されたユーザ状態に基づいて着信通知を行うことで、ユーザの状態および発信者に対応した着信通知が行える。例えば、ユーザの忙しさや発信者の重要度に応じて着信通知を変化させ、ユーザの柔軟な対応が可能となる。【選択図】図４
2005204227.tif 000002
【特許請求の範囲】
【請求項１】
ユーザの状態を記憶するユーザ状態記憶部と、
発信者を識別する発信者識別標識を含む着呼信号を受信する着呼信号受信部と、
前記着呼信号受信部が受信した着呼信号から発信者識別標識を抽出する発信者識別標識抽出部と、
前記ユーザ状態記憶部に記憶されたユーザ状態および前記発信者識別標識抽出部で抽出された発信者識別標識に基づいて、着信通知を行う着信通知部と、
を具備することを特徴とする受信装置。
【請求項２】
前記着信通知部が、前記発信者識別標識に基づいて着信通知パターンを切り換える、
ことを特徴とする請求項１記載の受信装置。
【請求項３】
前記着信通知部が、時系列的に切り替えられる複数の着信通知手段を有する、
ことを特徴とする請求項１記載の受信装置。
【請求項４】
着呼信号を受信する着呼信号受信部と、
着信音信号に基づき、着信音を出力する音声出力部と、
着信音信号を出力する音声出力端子と、
前記着呼信号受信部が受信した着呼信号に基づいて着信音信号を発生させ、かつ前記音声出力端子に外部の音声出力装置が接続されているときに、前記音声出力端子および前記音声出力部の双方にこの着信音信号を出力する着信音信号発生部と、
を具備することを特徴とする受信装置。
【請求項５】
前記音声出力端子への音声出力装置の接続時に、音声信号を前記音声出力端子に出力し、前記音声出力部に出力しない音声信号出力部、
をさらに具備することを特徴とする請求項４記載の受信装置。
【請求項６】
前記着呼信号受信部が受信した着呼信号に基づき、映像または振動によって着呼を通知する着呼通知部、
をさらに具備することを特徴とする請求項１記載の受信装置。
【請求項７】
ディスクドライブと、
通話時に前記ディスクドライブのディスクの回転数を低減させる回転数制御部と、
をさらに具備することを特徴とする請求項４記載の受信装置。
【請求項８】
ユーザの状態を記憶するユーザ状態記憶部と、
発信者を識別する発信者識別標識を含む着呼信号を受信する着呼信号受信部と、
前記着呼信号受信部が受信した着呼信号から発信者識別標識を抽出する発信者識別標識抽出部と、
前記ユーザ状態記憶部に記憶されたユーザ状態および前記発信者識別標識抽出部で抽出された発信者識別標識に基づいて、着信通知を行う着信通知部、
としてコンピュータを機能させるためのプログラム。
【請求項９】
着呼信号を受信する着呼信号受信部と、
着信音信号に基づき、着信音を出力する音声出力部と、
着信音信号を出力する音声出力端子と、
前記着呼信号受信部が受信した着呼信号に基づいて着信音信号を発生させ、かつ前記音声出力端子に外部の音声出力装置が接続されているときに、前記音声出力端子および前記音声出力部の双方にこの着信音信号を出力する着信音信号発生部、
としてコンピュータを機能させるためのプログラム。
【発明の詳細な説明】
【技術分野】
【０００１】
本発明は、パケットを用いた通信により通話を行う受信装置およびプログラムに関する。
【背景技術】
【０００２】
パケットを用いた通信により通話を行うＩＰ電話端末が用いられる。
このＩＰ電話端末で他からの着信を受けるときには、着信音が発せられ、ユーザへの注意が喚起される。この着信音は内蔵するスピーカから発せられるが、ユーザがヘッドセットを用いている場合にはこのヘッドセットを通じて行われるのが通例である。
なお、着信音をヘッドセットとスピーカの双方から出力する技術が公開されている（特許文献１参照）。
【特許文献１】特開２００３−１６９１０７号公報
【発明の開示】
【発明が解決しようとする課題】
【０００３】
ここで、ユーザに着信通知が的確に行われることが好ましい。例えば、ユーザの状態や着信相手に応じて着信通知が行われればユーザにとって便宜である。
上記に鑑み、本発明は的確な着信通知が可能な受信装置およびプログラムを提供することを目的とする。
【課題を解決するための手段】
【０００４】
Ａ．上記目的を達成するために、本発明に係る受信装置は、ユーザの状態を記憶するユーザ状態記憶部と、発信者を識別する発信者識別標識を含む着呼信号を受信する着呼信号受信部と、前記着呼信号受信部が受信した着呼信号から発信者識別標識を抽出する発信者識別標識抽出部と、前記ユーザ状態記憶部に記憶されたユーザ状態および前記発信者識別標識抽出部で抽出された発信者識別標識に基づいて、着信通知を行う着信通知部と、を具備することを特徴とする
着呼信号から抽出された発信者識別標識およびユーザ状態記憶部に記憶されたユーザ状態に基づいて着信通知を行うことで、ユーザの状態および発信者に対応した着信通知が行える。例えば、ユーザの忙しさや発信者の重要度に応じて着信通知を変化させ、ユーザの柔軟な対応が可能となる。
【０００５】
（１）ここで、前記着信通知部が、前記発信者識別標識に基づいて着信通知パターンを切り換えてもよい。
例えば、発信者の重要度に応じて着信通知パターンを変化させることが可能となる。
（２）また、前記着信通知部が時系列的に切り替えられる複数の着信通知手段を有してもよい。例えば、着信の当初に光、映像、または振動を用いて着信を通知することで、周囲への影響を低減できる。
【０００６】
Ｂ．本発明に係る受信装置は、着呼信号を受信する着呼信号受信部と、着信音信号に基づき、着信音を出力する音声出力部と、着信音信号を出力する音声出力端子と、前記着呼信号受信部が受信した着呼信号に基づいて着信音信号を発生させ、かつ前記音声出力端子への音声出力装置の接続時に、前記音声出力端子および前記音声出力部の双方にこの着信音信号を出力する着信音信号発生部と、を具備することを特徴とする。
音声出力端子への音声出力装置の接続時に、着信音信号を音声出力端子および音声出力部の双方に出力する。このため、音声出力端子に接続された音声出力装置からの音をユーザが聞き取れない場合（例えば、ヘッドホンを装着していない場合）でもユーザが着信音を確認することができる。また、着信音信号発生部から発生した着信音信号によって着信音が発生されるので、着信音を適宜に変更できる。
【０００７】
（１）受信装置が、前記音声出力端子に外部の音声出力装置が接続されているときに、音声信号を前記音声出力端子に出力し、前記音声出力部に出力しない音声信号出力部、をさらに具備してもよい。
音声出力装置として、例えば、ヘッドホンを用いて音楽を聴いているような場合に、この音楽が音声出力部、例えば、スピーカに出力されることを防止できる。
【０００８】
（２）受信装置が、前記着呼信号受信部が受信した着呼信号に基づき、映像または振動によって着呼を通知する着呼通知部、をさらに具備してもよい。
着信通知に音声以外の手段を用いることで周囲への影響を少なくすることができる。
【０００９】
（３）受信装置が、ディスクドライブと、通話時に前記ディスクドライブのディスクの回転数を低減させる回転数制御部と、をさらに具備してもよい。
通話中にディスクドライブの駆動音を低減し通話の邪魔となることを防止できる。
【発明の効果】
【００１０】
以上説明したように、本発明によれば的確な着信通知が可能な受信装置およびプログラムを提供できる。
【発明を実施するための最良の形態】
【００１１】
以下、図面を参照して、本発明の実施の形態を詳細に説明する。
図１は本発明の一実施形態に係る受信装置たるＩＰ電話端末１を表すブロック図である。
このＩＰ電話端末１は、ネットワークとパケットのやり取りを行うことで他のＩＰ電話端末との通話を可能とするものであり、ここではコンピュータ（例えば、ノートパソコン）を用いて構成するものとするが、専用装置で構成しても差し支えない。
【００１２】
ＩＰ電話端末１は、着信パターン決定部１１，着信通知制御部１２，通話制御部１３，入力部１４，記憶部１５、表示制御部２１，表示ドライバ２２，表示装置２３，ＶｏＩＰ制御部３１，ネットワークドライバ３２，ネットワークカード３３，記憶装置ドライバ３４，リムーバブルディスクドライブ（Removable Disk Drive）３５，ハードディスクドライブ（Hard Disk Drive）３６，音声制御部４１，音声ドライバ４２，マイクロホン４３、内蔵スピーカ４４，ヘッドホン端子４５を有する。なお、これらドライバは、ハードウェア、またはソフトウェアで構成される。
【００１３】
着信パターン決定部１１は、記憶部１５に記憶されたユーザ状態および着呼信号の発信者に基づき、ユーザへの着信通知をどのように行うか（または、行わないか）を決定する。
着信通知制御部１２は，着信通知を制御し、例えば、時間と共に着信通知の手段の切換を行う。
通話制御部１３は，通話中の状態を制御し、例えば、通話の障害となる可能性がある騒音の低減を図る。
【００１４】
入力部１４は、キーボードやマウス等の入力機器である。
この入力部１４を着信通知に用いることができる。例えば、キーボード上に配置された機能表示ランプ、機能ボタンランプ、補助ディスプレイを用いて着信通知を行える。またマウスを着信通知に利用できる。
【００１５】
機能表示ランプは、コンピュータの動作状態を表す発光素子である。機能ボタンは、ボタンと発光素子とが一体となり、このボタンでの入力状態を発光素子で表すものである。これら機能表示ランプ、機能ボタンでは発光素子の点滅、表示色の変化によって着信表示を行える。また、これらの発光素子が複数の発光源から構成されていれば、パターンを表示させたり、表示パターンを変化あるいは点滅させたりすることで着信通知を行える。なお、表示パターンの変化には、表示色を全体的あるいは部分的に変化させる場合をも含むものとする。
補助ディスプレイは、キーボード等に配置され、何らかの補助的な表示を行うための表示素子、例えば、液晶表示素子である。補助ディスプレイのバックライトの点灯、点滅によって着信通知を行える。
マウスが光学的に位置を読み取る光学マウスの場合には、発光素子（ＬＥＤ等）が内蔵され、発光素子の点滅によって着信通知を行える。また、マウスに振動子を内蔵させれば、振動子からの振動によって着信通知を行える。
【００１６】
記憶部１５は、ユーザの状態を表すユーザ状態や、発信番号リストを記憶し、ユーザ状態記憶部として機能する。
ユーザ状態は、例えば、「Ｆｒｅｅ」、「Ｂｕｓｙ」、「Ａｗａｙ」の３つに区分される。「Ｆｒｅｅ」は、ユーザが自席（ＩＰ電話端末１の近傍）に居て、かつ電話を受けることが可能な状態（通話可能状態）であることを示す。「Ｂｕｓｙ」は、ユーザが自席にいるものの、忙しくてできれば電話を受けたくない状態（通話困難状態）であることを示す。「Ａｗａｙ」は、ユーザが自席におらず、電話を受けることができない状態（通話不可能状態）であることを表す。
このユーザ状態は、ユーザが入力部１４から入力することで設定できる。また、スケジューラ（ユーザが自己のスケジュールを記憶、確認するためのソフトウェア）からそのときのユーザの状態を入手してもよい。さらには、入力部１４からの入力の有無によって設定することもできる。例えば、所定時間ユーザがキーボードを操作していないときに「Ａｗａｙ」と判断することができる。
【００１７】
発信番号リストは、ユーザの通話相手の発信番号（発信者識別標識）のリストであり、いわゆるアドレス帳がこれに該当する。この発信番号リストには、発信番号とユーザから見た重要度の対応付けがなされているものとする。例えば、発信番号を重要度Ａ，Ｂ、Ｃに区分する。
【００１８】
表示制御部２１は，表示ドライバ２２を介して表示装置２３を制御するための制御装置である。
表示ドライバ２２は，表示制御部２１からの指示により表示装置２３を制御する。
表示装置２３は，液晶表示装置（ＬＣＤ）、ＣＲＴ等の表示機器である。なお、表示装置２３において、画面のフラッシュ（点滅）、スクリーンセーバの解除等によって着信通知を行える。
【００１９】
ＶｏＩＰ制御部３１は，ＶｏＩＰ（Voice over IP）、即ち、音声パケットの制御を行うための制御装置である。
ネットワークドライバ３２は，ＶｏＩＰ制御部３１からの指示によりネットワークカード３３を制御する。
ネットワークカード３３は，インターネット等のネットワークと音声パケット、着呼信号（着呼パケット）のやり取りを行うことで、着呼、通話等を可能とするものであり、着呼信号受信部に対応する。
【００２０】
記憶装置ドライバ３４は，ＶｏＩＰ制御部３１からの指示により、リムーバブルディスクドライブ３５、ハードディスクドライブ３６を制御する。この結果、リムーバブルディスクドライブ３５、ハードディスクドライブ３６を用いた留守番録音が可能となる。留守番録音の内容はユーザの操作によって再生される。
リムーバブルディスクドライブ３５は，ＣＤ（Compact Disk）、ＤＶＤ（Digital Versatile Disk）、ＭＯＤ（Magneto-Optical Disk）等の着脱可能なディスクの読み書きを行う装置である。
ハードディスクドライブ３６はＨＤ（Hard Disk）への読み書きを行う装置である。
これらリムーバブルディスクドライブ３５、ハードディスクドライブ３６によって着信通知を行える。例えば、これらのディスクの回転速度を大きくして振動を発生させたり、リムーバブルディスクドライブ３５ではディスクを排出（エジェクト）したりすることで、着呼通知を行える。
【００２１】
音声制御部４１は，音声ドライバ４２を介して、マイクロホン４３、内蔵スピーカ４４，ヘッドホン端子４５による音声の入出力の制御を行う装置である。
音声ドライバ４２は，音声制御部４１からの指示により、マイクロホン４３、内蔵スピーカ４４，ヘッドホン端子４５への音声信号の入出力を行う装置である。
マイクロホン４３は、音声を音声信号に変換する音声入力装置である。
内蔵スピーカ４４は，音声信号を音声に変換する音声出力装置である。
ヘッドホン端子４５は、ヘッドホン４６が着脱可能であり、音声信号を出力する出力端子である。なお、ヘッドホン４６に換えて、ヘッドホンとマイクロホンと一体化したヘッドセットを用いてもよい。
これら内蔵スピーカ４４、ヘッドホン４６を用いて音声による着信通知を行える。例えば、電子音、メロディを発することでユーザの注意を喚起できる。
また、内蔵スピーカ４４を用いて音声以外の着信通知を行える。即ち、可聴範囲より周波数の小さい低周波あるいはパルス波で内蔵スピーカ４４を振動させることで、振動による着信通知が行える。
【００２２】
図２（ａ）、（ｂ）は、音声ドライバ４２の内部構成の一例を表すブロック図である。
図２（ａ）では、音声ドライバ４２は、音声入力デバイス４２１，音声出力デバイス４２２，４２３に区分される。即ち、内蔵スピーカ４４，ヘッドホン端子４５への音声信号の出力はそれぞれ、音声出力デバイス４２２，４２３によって行われる。
図２（ｂ）では、音声ドライバ４２は、音声入力デバイス４２１，音声出力デバイス４２４に区分されている。即ち、内蔵スピーカ４４，ヘッドホン端子４５への音声信号の出力は音声出力デバイス４２４によって行われ、スイッチ４２５，４２６によって出力先が切り換えられる。
【００２３】
（ＩＰ電話端末１の動作）
図３は、ＩＰ電話端末１の着信・通話時の動作手順の一例を表すフロー図である。
Ａ．着呼信号の受信（ステップＳ１１）
ＩＰ電話端末１が他のＩＰ電話端末からの着呼信号（着呼パケット）を受信する。この着呼信号はネットワークカード３３で受信されネットワークドライバ３２，ＶｏＩＰ制御部３１に到達する。
【００２４】
Ｂ．着信通知パターンの決定（ステップＳ１２）
ＶｏＩＰ制御部３１が、着信パターン決定部１１に着信パターン決定の指示を出すことで、着信パターン決定部１１による着信パターンの決定が行われる。
図４は、着信パターンの決定手順の一例を示すフロー図である。ここでは、ユーザ状態と発信者（発信番号）によって着信通知方法を決定している。即ち、ユーザ状態が、「Ｆｒｅｅ」、「Ｂｕｓｙ」、「Ａｗａｙ」の３つに、発信相手（発信者番号）を重要度の高い順にＡ、Ｂ、Ｃ（その他）と分類し、これらの組み合わせに対応して着信パターンが決定される。前述のようにユーザ状態は記憶部１５に記憶されている。
発信者番号は、着信信号に含まれ、ＶｏＩＰ制御部３１によって着信信号から抽出される。また、発信相手（発信者番号）とその重要度の対応は発信番号リストとして記憶部１５に記憶されている。
【００２５】
ユーザ状態が「Ｆｒｅｅ」の場合には、発信相手の重要度Ａ、Ｂ、Ｃに応じて、着信通知パターンＡ，Ｂ、Ｃによって着信通知を行う（ステップＳ２１〜Ｓ２６）。この着信通知パターンは、ユーザがその相違を認識可能な範囲で種々の手段を用いることができる。後述するように、表示パターン（例えば、形、色等）を変えたり、通知手段（例えば、映像、音声、振動）を異ならせたりすることで、着信通知パターンＡ，Ｂ，Ｃを識別することができる。
ユーザ状態が「Ｂｕｓｙ」の場合には、発信相手が重要度Ａなら着信通知パターンＡで通知し、その他の重要度Ｂ、Ｃの相手なら留守番電話録音動作へ移行する（ステップＳ２７〜Ｓ２９、Ｓ２３）。
ユーザ状態が「Ａｗａｙ」の場合には、留守番電話録音動作へと移行する（ステップＳ２７、Ｓ２９）。
ユーザは、着信通知パターンＡ，Ｂ，Ｃによって、発信相手の重要度を認識することができる。また、ユーザ状態が「Ｂｕｓｙ」の場合に、重要度Ａの相手先を除き留守番電話録音がなされることから、通話で邪魔されることなく自己の作業を継続できる。
留守番電話録音動作時には、発信相手からの伝言がリムーバブルディスクドライブ３５、またはハードディスクドライブ３６に記録される。記録された伝言はユーザの操作によって再生される。
【００２６】
Ｃ．着信通知（ステップＳ１３）
着信通知制御部１２によってユーザへの着信通知が行われる。
既述のように、この着信通知には、通常の音声による通知に加えて、種々の手段で通知が可能である。また、発信者に応じて、前述の着信通知パターンを変化させることもできる。
（１）表示装置２３を用いた着信通知：画面のフラッシュ（点滅）、スクリーンセーバの解除
（２）入力部１４による着信通知
・機能ボタンランプ、機能表示ランプ：ランプの点滅や色の変化（点滅パターンや色変化パターン、点灯するランプの組み合わせによる着信パターンの変更も可能）
・補助ディスプレイ：バツクライトの点灯（補助ディスプレイ上での表示内容による着信パターンの変更も可能）
・マウス：光学マウスでの発光素子の点滅、内蔵の振動子での振動
（３）ドライブ関連（リムーバブルディスクドライブ３５、ハードディスクドライブ３６）：スピンアップによる振動発生またはイジェクト動作
（４）内蔵スピーカ４４：低周波やパルス波の再生による振動発生
以上のように種々の手段で着信を通知し、また必要に応じて着信パターンを変化させることが可能である。着信パターンの変化は、着信通知手段での表示内容を変更することで行えるが、着信通知手段自体を換えても差し支えない。
【００２７】
また、必要に応じて着信通知手段を時系列的に切り換えることができる。
図５は、着信を受け付けてからの時間の経過によって着信通知手段を切り換える手順の一例を示すフロー図である。
着信を受け付けて第１の所定時間内（例えば、３秒）までは、視覚を用いて着信通知を行う（ステップＳ３１）。例えば、表示装置２３、キーボードの補助ディスプレイ、ランプ（機能表示ランプ、機能ボタンランプ）での表示、点滅である。
着信を受け付けて第２の所定時間内（例えば、６秒）までは、これに加えてヘッドホン４６からの着信音による着信通知を行う（ステップＳ３２）。ヘッドホン４６からの着信音は、ユーザ以外の外部には漏れにくい内部音声である。
着信を受け付けて第３の所定時間内（例えば、９秒）までは、それまでのものに加えてディスクドライブのスピンアップ（ディスクの回転数増加）、内蔵スピーカ４４での低周波やパルスの再生、マウスのバイブレータといった振動による着信通知を行う（ステップＳ３３）。
それ以降は内蔵スピーカ４４からの着信音も用いて着信通知を行う（ステップＳ３４）。内蔵スピーカ４４からの着信音は、ユーザ以外の第三者も聞き取り可能な外部音声である。
【００２８】
図６（ａ），（ｂ）はそれぞれ、着呼時の着信音の信号経路を表す図であり、図２（ａ），（ｂ）と対応する。
図６（ａ）では、内蔵スピーカ４４，ヘッドホン端子４５への音声信号の出力はそれぞれ、音声出力デバイス４２２，４２３によって行われることから、内蔵スピーカ４４，ヘッドホン４６双方から着信音を生じさせ、かつヘッドホン４６のみから着信音以外の例えば音声データ（音楽など）を生じさせることができる。
【００２９】
即ち、ヘッドホン端子４５にヘッドホン４６が接続され音楽などが再生されている場合、着信音は音声出力デバイス４２２，４２３に分配され、内蔵スピーカ４４とヘッドホン４６の両方から着信音が再生される。それ以外の音声データについては、音声出力デバイス４２３にのみ送出され、ヘッドホン４６だけから再生される。
なお、この制御は音声制御部４１によって行われる。着信音の基となる着信音データは例えばハードディスクドライブ３６にファイルとして記録しておいたものを用いることができる。
【００３０】
図６（ｂ）では、音声出力デバイス４２４から内蔵スピーカ４４，ヘッドホン端子４５への２つの信号経路を独立に制御可能として、ヘッドホン端子４５へのヘッドホン４６の接続時に内蔵スピーカ４４から着信音を再生できるようにしている（通例は、ヘッドホン端子４５にヘッドホン４６が接続されたときには、内蔵スピーカ４４への再生信号が物理的なスイッチによって切断され、内蔵スピーカ４４から着呼音が再生されない）。
即ち、着呼時には、ヘッドホン端子４５にヘッドホン４６が接続されているか否かにかかわらず内蔵スピーカ４４側のスイッチ４２５を０Ｎ状態として着呼を通知する。
【００３１】
着呼時以外の通常時には、ヘッドホン端子４５へのヘッドホン４６の接続が何らかの手段で検知されることで、以下のような動作が行われる。
ヘッドホン端子４５にヘッドホン４６が接続されていない場合には、内蔵スピーカ４４側のスイッチ４２５が０Ｎ状態となる。このとき、ヘッドホン端子４５側のスイッチ４２６は、０ＦＦとすることができる（例えば、スイッチ４２５、４２６を同時に０Ｎにすることで音質・音量低下する畏れがある場合）。
ヘッドホン端子４５にヘッドホン４６が接続されている場合には、内蔵スピーカ４４側のスイッチ４２５を０ＦＦ状態とする。
【００３２】
Ｄ．通話開始（ステップＳ１４）
着信通知に対応してユーザが何らかの入力を行うことで発信者とユーザとの通話が開始される。
この通話中は通話制御部１３による制御が行われる。
このとき、通話制御部１３によってドライブ（リムーバブルディスクドライブ３５、ハードディスクドライブ３６）の回転速度の低下が図られ、通話中のノイズ、特にマイクロホン４３に回り込むノイズが低減される（ステップＳ１５）。即ち、リムーバブルディスクドライブ３５、ハードディスクドライブ３６の回転速度抑制や回転停止が行われる。
【００３３】
Ｅ．通話終了（ステップＳ１６）
ユーザまたは発信者が何らかの入力を行うことで発信者とユーザとの通話が終了する。
この通話の終了によって、ドライブ（リムーバブルディスクドライブ３５、ハードディスクドライブ３６）の回転速度が通話前の状態に復帰し、ドライブからの読み出し、書き込みの速度の向上が図られる。
【００３４】
以上のように上記実施形態は次のような特徴を有する。
・発信者の重要度と着信パターンを対応付けることにより、電話に出る前に発信者の重要度を知ることができる。
・忙しい時は、重要度の高い人からの着信のみ通知するよう設定でき、業務の効率化が図れる。
・音以外にランプやその点滅、ドライブやスピーカによる振動で段階的に着信を通知することで、周囲の人への影響を最小限にすることができる。
・ヘッドホン端子４５にヘッドホン４６が接続されていた場合に、内蔵スピーカ４４から着信音が送出される。このため、ユーザがヘッドホン４６を外していた場合でも着信を知ることができる。
この場合、ヘッドホン４６で音楽を聴いていたときでも、音楽は内蔵スピーカ４４から再生されないようにすることで、周囲への影響を低減できる。
・通話時にはドライブ類の回転を抑制したり止めたりすることによって、マイクロホン４３へのノイズの回り込みを低減できる。
【００３５】
（その他の実施形態）
本発明の実施形態は上記の実施形態に限られず拡張、変更可能であり、拡張、変更した実施形態も本発明の技術的範囲に含まれる。
【図面の簡単な説明】
【００３６】
【図１】本発明の一実施形態に係るＩＰ電話端末を表すブロック図である。
【図２】音声ドライバの内部構成の一例を表すブロック図である。
【図３】本発明の一実施形態に係るＩＰ電話端末の着信・通話時の動作手順の一例を表すフロー図である。
【図４】着信パターンの決定手順の一例を示すフロー図である。
【図５】着信を受け付けてからの時間の経過によって着信通知手段を切り換える手順の一例を示すフロー図である。
【図６】着呼時の着信音の信号経路を表す図である。
【符号の説明】
【００３７】
１…ＩＰ電話端末、１１…着信パターン決定部、１２…着信通知制御部、１３…通話制御部、１４…入力部、１５…記憶部、２１…表示制御部、２２…表示ドライバ、２３…表示装置、３１…ＶｏＩＰ制御部、３２…ネットワークドライバ、３３…ネットワークカード、３４…記憶装置ドライバ、３５…リムーバブルディスクドライブ、３６…ハードディスクドライブ、４１…音声制御部、４２…音声ドライバ、４３…マイクロホン、４４…内蔵スピーカ、４５…ヘッドホン端子、４６…ヘッドホン、４２１…音声入力デバイス、４２２，４２３，４２４…音声出力デバイス、４２５，４２６…スイッチ
【図１】
2005204227.tif 000003
【図２】
2005204227.tif 000004
【図３】
2005204227.tif 000005
【図４】
2005204227.tif 000006
【図５】
2005204227.tif 000007
【図６】
2005204227.tif 000008